(57)【特許請求の範囲】
【請求項１】
本尺に沿って摺動するスライダーに測定値がデジタル表示されるデジタルノギスであって、上記の本尺の基端に、この基端の軸を中心に本尺と垂直面を同一にして回動する回動部材が取り付けられ、この回動部材は本尺を係合させる隙間を隔てて配置させた前後一対状の平行片を有して形成され、この平行片は本尺の下面に対応する側の面が、長手方向にわたって同じ高さに形成され、上記のスライダーのジョウは、本尺の下面に沿って且つ本尺の基端の側に先端が向けられてバー状に形成され、このジョウの先端側の両側位置は本尺の基端の側に向って昇り傾斜状に形成され、上記の平行片の面と当接する両側位置の先端が尖った状態に形成され、この両側位置の間で且つ本尺の厚み内に納まる箇所の先端面が、垂直面状に形成されていることを特徴とする二つ折り板金用デジタルノギス。
【請求項２】
請求項１記載の二つ折り板金用デジタルノギスであって、回動部材が本尺の基端に手動操作用のナットで締め付け自在に設けられていることを特徴とする二つ折り板金用デジタルノギス。
【請求項３】
請求項１又は２記載の二つ折り板金用デジタルノギスであって、スライダーのジョウが長手方向の全長にわたって高さが同一の状態に形成されていることを特徴とする二つ折り板金用デジタルノギス。
【発明の詳細な説明】
【０００１】
【発明の属する技術分野】
本発明は、デジタルノギスに関し、更に詳しくは二つ折りした板金の両片の延長線上における仮想交点から、各片の端部までの長さを測定するために使用する二つ折り板金用デジタルノギスに関するものである。
【０００２】
【従来の技術】
従来この種のノギスとしては、例えば折り曲げた板金の両片の延長線が交わる仮想交点を中心に回転する回転体と、目盛を備えたスケール体とで形成したものがある。この従来品の場合は、回転体が二つ折り板金の一方の面と当接する当接辺を有し、スケール体は二つ折り板金の他方の面と当接する当接辺を有し、両当接辺が仮想交点を通る直線状にあるよう形成されている（例えば特開２０００−５５６０２号公報等参照）。
【０００３】
【発明が解決しようとする課題】
ところでこの種のノギスを使用する場合は、先ず回転体を動かしてスケール体との間に、二つ折り板金を差し挟むための三角形スペースを形作り、次にこの三角形スペースに板金をあてがい、回転体とスケール体とで板金を挟み付けて測定するものである。
従ってこの種のノギスは、測定作業に煩わしさを伴うから、少しでも簡便、迅速に測定できるよう、又測定値の読み間違いを一掃できるよう形成されているのが望ましい。
【０００４】
しかるに従来品は、上記の通り、スケール体に目盛が付され、この目盛を直読して測定値を得るものであったから、従来品の場合は目盛を読み間違う惧れがあった。従って従来品によると、測定作業を迅速且つ正確にできない、という問題点があった。
【０００５】
本発明は、このような従来品の問題点に鑑み、提案されたものである。
従って本発明の技術的課題は、二つ折りされた板金の両片の延長線上における仮想交点から各片の端部までの長さを、簡便、迅速且つ正確に測定できるよう形成した二つ折り板金用デジタルノギスを提供することにある。
【０００６】
【課題を解決するための手段】
本発明は、上記の課題を解決するために、次のような技術的手段を採る。
【０００７】
即ち本発明は、図１等に示されるように、本尺１に沿って摺動するスライダー２に測定値がデジタル表示されるデジタルノギスであって、上記の本尺１の基端１ａに、この基端１ａの軸４を中心に本尺１と垂直面を同一にして回動する回動部材３が取り付けられ、この回動部材３は本尺１を係合させる隙間Ｃを隔てて配置させた前後一対状の平行片３ａを有して形成され、この平行片３ａは本尺１の下面１ｂに対応する側の面３ａ１が、長手方向にわたって同じ高さに形成され、上記のスライダー２のジョウ６は、本尺１の下面１ｂに沿って且つ本尺１の基端１ａの側に先端６ａが向けられてバー状に形成され、このジョウ６の先端６ａ側の両側位置６ｂは本尺１の基端１ａの側に向って昇り傾斜状に形成され、上記の平行片３ａの面３ａ１と当接する両側位置６ｂの先端６ａが尖った状態に形成され、この両側位置６ｂの間で且つ本尺１の厚み内に納まる箇所６ｃの先端面６ｃ１が、垂直面状に形成されていることを特徴とする（請求項１）。
【０００８】
本発明の場合、ジョウ６の先端６ａの両側位置６ｂは、先端６ａを尖らせて形成されているのであれば良く、その勾配Ｓ（図３参照）は、任意である。
【０００９】
又本発明の場合、上記の回動部材３は、本尺１の基端１ａに手動操作用のナット５で締め付け自在に設けられているのが好ましい（請求項２）。
【００１０】
なぜならこの場合は、ナット５を締め付けて回動部材３を本尺１に固定できるから、測定時に回動部材３を一時的に固定できる分、測定作業を楽にできるからである。
【００１１】
又本発明は、スライダー２のジョウ６が長手方向の全長にわたって高さが同一の状態に形成されているのが好ましい（請求項３）。
【００１２】
なぜならこれによると、例えば金属角材の先端を加工することにより、ジョウ６を簡単、低コストで形成できるからである。又この場合は、ジョウ６に余計な出っ張り等がないから、測定作業時、或いは不使用時や保管時に、ジョウ６が測定作業等の支障となることを防止できるからである。
【００１３】
【発明の実施の形態】
以下、本発明の好適な一実施形態を添付図面に従って説明する。
【００１４】
本発明品は、図１等に示されるように、本尺１に沿って摺動するスライダー２に測定値がデジタル表示されるデジタルノギスである。測定値は、表示部２ａに表示され、スライダー２は上面に設けられている止めネジ２ｂで本尺１に仮止め可能に形成されている。又このスライダー２は、任意の位置でゼロリセットを行うためのリセットボタン２ｃや、電源のオンオフスイッチ２ｄ等を備えて構成されている。
【００１５】
３は、上記の本尺１の基端１ａに取り付けられている回動部材である。この回動部材３は、本尺１の基端１ａの軸４を中心に本尺１と垂直面を同一にして回動するよう構成されている。又この回動部材３は、本尺１を係合させる隙間Ｃ（図１Ａ参照）を隔てて配置させた前後一対状の平行片３ａを有して形成されている。この平行片３ａは、本尺１の下面１ｂと対応する側の面３ａ１が、長手方向にわたって高さを同一にさせて同じ平面状態に形成されている。
【００１６】
５は、手動操作用のナットである。回動部材３は、このナット５が締め付けられることにより、本尺１の基端１ａに固定されるよう構成されている。
【００１７】
又上記のスライダー２のジョウ６は、本尺１の下面１ｂに沿って且つ本尺１の基端１ａの側に先端６ａが向けられてバー状に形成されている。このジョウ６の先端６ａ側の両側位置６ｂは、本尺１の基端１ａの側に向けられて昇り傾斜状に形成され、上記の平行片３ａの面３ａ１と当接する両側位置６ｂの先端６ａが尖った状態に形成されている。又この両側位置６ｂの間で且つ本尺１の厚み内に納まる箇所６ｃは、その先端面６ｃ１が垂直面状に形成されている。なおスライダー２のジョウ６は、この実施形態では断面方形の金属角材の先端が加工され、長手方向の全長にわたって高さが同一の状態に形成されている。
【００１８】
次に本発明の作用を説明する。
【００１９】
先ず使用者は、ナット５を緩めて回動部材３を動かし開かせる。そして使用者は、図２に示されるように、回動部材３と本尺１とが作る三角形スペースに、二つ折り板金７を差し入れ、板金７の上片７ａを本尺１の下面１ｂに当接させ、下片７ｂを回動部材３の面３ａ１に当接させる。
【００２０】
次に使用者は、板金７を、一旦、三角形スペースから取り外した後、スライダー２を図２において左方向にスライドさせ、ジョウ６の先端６ａを回動部材３の面３ａ１に当接させ、リセットボタン２ｃを押す。そしてスライダー２を同図において右方向に移動させ、上記の三角形スペースに二つ折り板金７を差し挟む。
【００２１】
次にこの状態で使用者は、再度、スライダー２を左方向に動かし、ジョウ６の先端６ａを板金７の上片７ａの端部７ａ１に当接させる。これによりスライダー２の表示部２ａに、仮想交点Ｖ（図４参照）から板金７の上片７ａの端部７ａ１迄の長さＤ１の値が表示される。従ってこの数値を読むことにより、長さＤ１の値を得られる。板金７の下片７ｂの長さＤ２（図４参照）を求める場合は、板金７の下片７ｂを上にして、上記と同様の操作を行って側定する。
【００２２】
【発明の効果】
以上説明したように本発明は、測定値がデジタル表示されるデジタルノギスであって、スライダーのジョウを上記のようなバー状に形成し、これにより二つ折り板金の仮想交点から各片の端部迄の長さの測定を可能にしたものである。
【００２３】
従って本発明によれば、二つ折り板金の両片の延長線上における仮想交点から各片の端部までの長さを、簡便、迅速且つ正確に測定できる。
【図面の簡単な説明】
【図１】本発明ノギスの好適な一実施形態を示し、Ａは全体の斜視図、Ｂは要部斜視図である。
【図２】同上ノギスの使用状態を説明するための側面図である。
【図３】スライダーのジョウの要部側面図である。
【図４】二つ折り板金の斜視図である。
【符号の説明】
１    本尺
１ａ  基端
１ｂ  下面
２    スライダー
３    回動部材
３ａ  平行片
３ａ１  面
４    軸
６    ジョウ
６ａ  先端
６ｂ  両側位置
６ｃ  両側位置の間で且つ本尺の厚み内に納まる箇所
６ｃ１  先端面
Ｃ    隙間
【図１】
0003611831.tif 000002
【図２】
0003611831.tif 000003
【図３】
0003611831.tif 000004
【図４】
0003611831.tif 000005